(57)【特許請求の範囲】
【請求項１】
レールと係合して走行する走行部材と、戸に取り付けられる固定部材と、走行部材と固定部材を結合し固定部材に対して着脱可能な連結部材を有し、固定部材には穴又は溝からなる受入れ部が設けられ、当該受入れ部の内部には弾性を有する係合爪が設けられ、連結部材には貫通穴が設けられ、連結部材は固定部材の受入れ部に挿入されて当該受入れ部と係合し、さらに前記係合爪が連結部材に設けられた貫通穴と係合していることを特徴とする戸用ランナー。
【請求項２】
係合爪は複数設けられ、各係合爪は互いに平行に配され、連結部材を受入れ部に挿入する際、各係合爪は貫通穴の内壁によって押されて自己の弾性によって互いに近接する方向に撓み、連結部材を受入れ部の所定の位置まで挿入したとき係合爪は貫通穴の一部と係合することを特徴とする請求項１に記載の戸用ランナー。
【請求項３】
ランナー取り外し用治具を備え、当該ランナー取り外し用治具は、係合爪と当接して係合爪が本体部の貫通穴を離れるまで係合爪を撓ませることができる凹部を有することを特徴とする請求項１又は２に記載の戸用ランナー。
【請求項４】
貫通穴の外端部には凹部が設けられ、当該凹部には軸方向に延びるガイド溝が設けられ、ランナー取り外し用治具は板状であって先端部に係合爪と当接する凹部が設けれ、ランナー取り外し用治具はガイド溝と係合可能であることを特徴とする請求項３に記載の戸用ランナー。
【発明の詳細な説明】
【０００１】
【発明の属する技術分野】
本発明は、建物や家具の引き戸に使用される戸用ランナーに関するものである。本発明の戸用ランナーは、特にクローゼットの吊り戸に採用することが好ましいものである。
【０００２】
【従来の技術】
部屋の間仕切りや、クローゼットの扉として吊り戸が広く活用されている。従来、吊り戸は戸板を平行に移動させて開閉するものであったが、近年、複数の戸板が折れ曲がりつつ移動する形式のものが開発されている。図１０は、戸板が折れ曲がりつつ移動する形式の吊り戸の例を示す斜視図である。
吊り戸１００はクローゼットに使用されるものであり、上下に設けられたレール１０１，１０２の間に設けられ、二枚の戸板１０３，１０５によって構成されている。そして二つの戸板１０３，１０５は、中央に設けられたヒンジ１０６によって折り曲げ可能に結合されている。
また一方の戸板１０５は、蝶番１０７によって戸枠に取り付けられている。これに対して他方の戸板１０３は、戸用ランナー１１０によって上部のレール１０１から吊り下げられている。
また当該戸板１０３の下部にはガイドピン１１１が取り付けられ、当該ガイドピン１１１は、下部のレール１０２と係合している。
【０００３】
吊り戸１００では、戸用ランナー１１０によって吊り下げられた部位及びガイドピン１１１が取り付けられた部位がレール１０１，１０２に沿って直線移動すると共に当該部位を中心として揺動する。
吊り戸１００を開く際は、二枚の戸板１０３，１０５は、ヒンジ１０６を中心として次第に折れ曲がり、最終的には二枚の戸板１０３，１０５は折り重なる。
ここで従来技術においては、戸用ランナー１１０は、ねじ１１２によって戸板１０３に取り付けられていた。
【０００４】
【発明が解決しようとする課題】
従来技術においては、前記した様に戸用ランナー１１０は、ねじ１１２によって戸板１０３に取り付けられていた。そのためレール１０１に戸板１０３，１０５を取り付ける際に時間がかかり、作業者に苦痛を強いていた。
すなわち戸板１０３，１０５を取り付ける際には、戸用ランナー１１０の固定側の部材１１３を予め戸板１０３に取り付けておき、上側のレール１０１に戸用ランナー１１０のランナー部１１５を載置する。
そして作業者が戸板１０３，１０５を持ち上げて、ランナー部１１５と戸板１０３に取り付けられた固定部１１３とをネジ１１２によって結合する。しかしながら戸板１０３，１０５は相当に重い。そしてネジ１１２を締めるには相当の時間がかかる。そのため戸板１０３，１０５の取付け作業は、作業者にとって苦痛であった。
特に前記した様な戸板１０３，１０５が折れ曲がりつつ移動する形式の吊り戸は、二枚の戸板１０３，１０５がヒンジ１０６で取り付けられたものであり、戸板が全体として大型であるばかりでなく、取り付けの際に意図せず戸板１０３，１０５が折れ曲がり、誠に不安定である。そのため、戸板１０３，１０５をより簡単にレール１０１にとりつけることができる構成の開発が市場から要求されていた。
【０００５】
そこで本発明は、市場における上記した要求に応えるため、より簡単かつ短時間の内に戸板をレールに取り付けることができる戸用ランナーを開発することを技術的課題とするものである。
【０００６】
【課題を解決するための手段】
そして上記した課題を解決するための請求項１に記載の発明は、レールと係合して走行する走行部材と、戸に取り付けられる固定部材と、走行部材と固定部材を結合し固定部材に対して着脱可能な連結部材を有し、固定部材には穴又は溝からなる受入れ部が設けられ、当該受入れ部の内部には弾性を有する係合爪が設けられ、連結部材には貫通穴が設けられ、連結部材は固定部材の受入れ部に挿入されて当該受入れ部と係合し、さらに前記係合爪が連結部材に設けられた貫通穴と係合していることを特徴とする戸用ランナーである。
【０００７】
本発明の戸用ランナーは、大きく分けて走行部材と固定部材及び連結部材によって構成される。ただし走行部材と連結部材は、戸板の取付けに先立って予め結合しておく。そして従来技術と同様に予め固定部材を戸板に取り付けておき、レールに戸用ランナーの走行部を連結部材と共に載置する。
この状態から戸板を持ち上げて、連結部材を固定部材の受入れ部に挿入する。その結果、連結部材が固定部材の受入れ部と係合し、連結部材と固定部材が結合され、戸板の荷重が支持される。またさらに、連結部材を固定部材の受入れ部に挿入することにより、受入れ部の内部に設けられた弾性を有する係合爪が一旦撓んで連結部材に設けられた貫通穴内に入り、係合爪が貫通穴と係合する。そのため連結部材を固定部材の受入れ部に挿入するだけで、連結部材が固定部材に固定され、連結部材の脱落が防止される。
【０００８】
また上記した発明を改良した請求項２に記載の発明は、係合爪は複数設けられ、各係合爪は互いに平行に配され、連結部材を受入れ部に挿入する際、各係合爪は貫通穴の内壁によって押されて自己の弾性によって互いに近接する方向に撓み、連結部材を受入れ部の所定の位置まで挿入したとき係合爪は貫通穴の一部と係合することを特徴とする請求項１に記載の戸用ランナーである。
【０００９】
本発明の戸用ランナーでは、係合爪は複数設けられ、各係合爪は互いに平行に配されている。そして連結部材を受入れ部に挿入する際、各係合爪は貫通穴の内壁によって押されて自己の弾性によって互いに近接する方向に撓む。そのため連結部材を、固定部材の受入れ部に大きな抵抗無く挿入することができる。
また本発明の戸用ランナーでは、連結部材が完全に挿入されると、係合爪が弾性によって元の位置に復帰し、節度音や節度感を発生させる。
【００１２】
また請求項３に記載の発明は、ランナー取り外し用治具を備え、当該ランナー取り外し用治具は、係合爪と当接して係合爪が本体部の貫通穴を離れるまで係合爪を撓ませることができる凹部を有することを特徴とする請求項１又は２に記載の戸用ランナーである。
【００１３】
本発明の戸用ランナーは、ランナー取り外し用治具を備える。そしてランナー取り外し用治具は凹部を有し、当該凹部を係合爪に当接させることにより、係合爪と貫通穴との係合を解くことができる。
【００１４】
さらに請求項４に記載の発明は、貫通穴の外端部には凹部が設けられ、当該凹部には軸方向に延びるガイド溝が設けられ、ランナー取り外し用治具は板状であって先端部に係合爪と当接する凹部が設けられ、ランナー取り外し用治具はガイド溝と係合可能であることを特徴とする請求項３に記載の戸用ランナーである。
【００１５】
本発明の戸用ランナーでは、貫通穴の外端部に凹部が設けられ、当該凹部には軸方向に延びるガイド溝が設けられている。そしてランナー取り外し用治具は板状であってガイド溝と係合可能である。本発明の戸用ランナーでは、ランナー取り外し用治具をガイド溝に沿って押し込み、先端部に設けられた凹部を係合爪に当接する。その結果、係合爪は撓んで貫通穴との係合が解除される。
【００１６】
【発明の実施の形態】
以下、本発明の実施形態について説明する。なお、以下の説明で、「上下」の関係は、戸用ランナーが使用される状態を基準としている。
図１は、本発明の実施形態の戸用ランナーを戸板に取付け、さらにレールに走行部を載置した状態の正面図である。図２は、本発明の実施形態の戸用ランナーの分解斜視図である。図３は、図１のＡ−Ａ断面図である。図４は、戸用ランナーにランナー取り外し用治具を当接した状態における図１のＡ−Ａ断面図である。図５は、図１の戸用ランナーの固定部材の正面図、側面図及び底面図である。図６は、図１の戸用ランナーの走行部材及び連結部材の正面図、側面図及び底面図である。図７は、図１の戸用ランナーの固定部材と走行部材及び連結部材の断面図である。図８は、ランナー取り外し用治具の正面図である。図９は、図１の戸用ランナーの走行部材の軸受け部の平面図、及び軸受け部の機能を説明する軸受け部に軸部材を装着した状態における平面図である。
【００１７】
図において、１は、本発明の実施形態の戸用ランナーを示す。戸用ランナーは、図２に示すように大きく分けて走行部材２と、固定部材３及び連結部材５によって構成される。
順次説明すると、走行部材２は、長方形状の本体部８を有し、その両側に４個のコロ１０が取り付けられたものである。コロ１０は、本体部８の両脇に二個づつ取り付けられており、いずれも回転自在である。本体部８は、樹脂の射出成形によって作られている。
【００１８】
また本体部８の中央には、軸受け部１１が設けられている。軸受け部１１は、具体的には本体部８を上下方向に貫通する貫通穴である。そして軸受け部１１の上端部は、図２及び図９（ａ）の様に略四角形に拡径した節度付け部（拡径部）１２が形成されている。節度付け部（拡径部）１２の両脇側（本体部８の長手方向の辺に相当する部位）は樹脂の肉厚が薄く、且つ内側に膨出していて弾性部１５として機能する。
【００１９】
そして本体部８の軸受け部１１には、図７に示すように軸部材１６が挿通されている。
軸部材１６は、一端側にネジ部１８が設けられ、ネジ部１８に隣接して手工具係合部２０が設けられている。なお手工具係合部２０は、スパナやプライヤ等の工具を係合させる部位であり、面取りがされていて断面形状が四角形をしている。
また軸部材１６の他端部は、ボルトの頭部の様な六角形部２１が形成されている。前記した手工具係合部２０と他端の六角形部２１との間の部分は、円柱形状をしているが、六角形部２１に隣接した部位にフランジ部２２が形成されている。
軸部材１６は、六角形部２１が軸受け部１１の節度付け部（拡径部）１２内にあり、六角形部２１の二辺が、膨出した弾性部１５と当接している。また軸部材１６のフランジ部２２が軸受け部１１の一部と係合し、スラスト荷重を支持する。したがって軸部材１６は、走行部材２の軸受け部１１に、回転自在であって軸方向には一体的に取り付けられている。
【００２０】
固定部材３は、樹脂の射出成形によって作られたものであり、正面に略「Ｕ」字状のフランジ２５を有する。そしてフランジ２５の中央に穴２６と溝３１からなる受入れ部２３が設けられている。
すなわちフランジ２５には円形の穴２６が設けられ、穴２６の上部側には溝３１が形成されている。そして穴２６の一部は溝３１と連通し、溝３１は、フランジ２５の上部に開口している。前記した様に受入れ部２３の溝３１は、穴２６と連通するが、溝３１の幅は、穴２６の直径よりも小さい。
【００２１】
穴２６と溝３１の奥側にはフランジ２５に対して垂直に延びる内壁２４が形成されている。穴２６は有底であり図２，３，７の様に底部２７から二つの係合爪２８が設けられている。係合爪２８の形状は、図２，３の様に板状部３０の先端に略三角形の係止部３２が設けられたものである。係合爪２８は、互いに平行であって、板状部３０が穴２６の軸線と平行に延びている。また戸用ランナー１の設置姿勢を基準とすると、係合爪２８は板状部３０同士が互いに向き合って水平に延びている。係止部３２の返りの部分（実際に係合する部位）は互いに外側に位置する。
フランジ２５には、二つのネジ挿通穴３６が設けられている。
【００２２】
連結部材５は、アルミダイカストによって作られたものであり、円形部４０と「Ｌ」状部４１が結合した形状をしている。
連結部材５の円形部４０は中心に図２，６の様な長方形の貫通穴４５が設けられている。そして貫通穴４５の外端部は、図２の様に円形に拡大されていて拡径部４６が形成されている。また拡径部４６の内側両脇には、断面形状が長方形の溝４８が設けられており、さらにその溝４８の中心にはガイド溝４７が設けられている。
左右のガイド溝４７を結ぶ直線は、円形部４０の中心を通る。また左右のガイド溝４７は、互いに平行であって、円形部４０の中心軸方向に延びる。
【００２３】
連結部材５の「Ｌ」状部４１は、垂直部５０と水平部５１によって構成されている。垂直部５０の表面は、円形部４０と同一の平面にあり、水平部５１は、垂直部５０の上端から円形部４０の中心軸と平行に延びる。
そして水平部５１の端部には垂直方向に延びるネジ穴５３が設けられている。
【００２４】
連結部材５の外形形状を概観すると、前記した固定部材３の穴２６及び溝３１で構成される形状と略一致する。すなわち連結部材５の正面形状は、固定部材３の穴２６と溝３１との正面形状と一致する。また連結部材５の側面形状は、固定部材３の穴２６と溝３１との側断面形状と一致する。
【００２５】
次に、本実施形態の戸用ランナー１の各部の組み立て構造と作用を戸板６１の取付け作業に即して説明する。
本実施形態の戸用ランナー１では、予め軸部材１６のネジ部１８が、連結部材５のネジ穴５３に挿通されて使用される。多くの場合、軸部材１６のネジ部１８が、連結部材５のネジ穴５３に挿通された状態で工場から出荷されることとなる。そして軸部材１６によって走行部材２と連結部材５が結合された状態で、これらが図１の様にレール６０に載置される。
【００２６】
一方、固定部材３は、戸板６１に取り付けられる。固定部材３の取り付けは、ネジ挿通穴３６に木ねじが挿入することにより行われる。なお多くの場合、固定部材３は、戸板６１に取り付けられた状態で工場から出荷される。
【００２７】
そして工事現場において、作業者が戸板６１を支え、レール６０から垂下した連結部材５を固定部材３の受入れ部２３の位置に合わせる。続いて連結部材５を固定部材３の正面側から奥に向かって水平に押し込み、連結部材５の円形部４０と「Ｌ」状部４１を、それぞれ固定部材３の穴２６及び溝３１と係合させる。
ここで前記した様に連結部材５の外形形状は、固定部材３の穴２６及び溝３１で構成される形状と略一致するので、連結部材５は固定部材３の穴２６及び溝３１で構成される空間に略隙間なく入り込む。そして固定部材３の穴２６及び溝３１で形成される形状は、穴２６の直径が溝３１の幅よりも大きいので、連結部材５は水平方向（前後方向）には移動するものの、上下方向には円形部４０が穴２６と係合して動かない。
【００２８】
また連結部材５を挿入する際に、連結部材５の長方形の貫通穴４５に固定部材３に設けられた係合爪２８が入り込む。すなわち係合爪２８の係止部３２は、略三角形をしており、返りの部分は互いに外側に位置するので、連結部材５を押し込む際に係合爪２８の板状部３０が撓み、二つの係合爪２８が縮径方向に移動する。そして連結部材５を所定の位置に押し込むと、係止部３２が長方形の貫通穴４５を通過する。その結果、係止部３２は元の水平状態に復帰し、「パチン」という節度音を立てて貫通穴４５の端部と係合する。そして連結部材５は、固定部材３に対して水平方向（前後方向）に固定される。前記したように、連結部材５の外形部分が固定部材３の受入れ部２３（穴２６及び溝３１）と係合して上下方向に固定されているので、係止爪２８が貫通穴４５と係合することにより、結果的に連結部材５は、固定部材３と一体的に固定され、戸板６１がレール６０に吊り下げられる。この様に本実施形態の戸用ランナー１は、単に連結部材５を固定部材３に押し込むだけで戸板６１の取付けが完了するので、戸板６１の取付け作業が極めて容易であり、且つその作業は短時間で完了する。
【００２９】
なお本実施形態の構成によると、連結部材５を逆方向に向けて固定部材３に挿入した場合は、係合爪２８が係合せず、「パチン」という節度音を発しないので、挿入方向に誤りがあった場合はすぐに気づく。
【００３０】
また戸板６１は、全体として水平でなければならないが、吊り下げ位置の高さがずれていて戸板６１が傾いている場合は、軸部材１６の手工具係合部２０を回転させて調節する。
すなわち手工具係合部２０に後記するランナー取り外し用治具６５のスパナ部６６を係合させて回転する。その結果、軸部材１６が回転して連結部材５のネジ穴５３との嵌合深さが変わり、戸板６１が高低方向に移動する。またこの時、軸部材１６の先端に設けられた六角形部２１の角が、図９（ｃ）の様に弾性部１５を押圧し、さらに回転すると、図９（ｂ）の様に弾性部１５が六角形部２１の面の部位と当接する状態となる。そしてこの間に、回転の抵抗感が変わるので、抵抗感の変化を数えることにより、作業者は回転角度を知ることができる。
【００３１】
一方、戸板６１を外す場合は、専用のランナー取り外し用治具６５が使用される。ランナー取り外し用治具６５は、平板状であり、一端に前記した手工具係合部２０と係合するスパナ部６６が設けられている。そしてランナー取り外し用治具６５の他端側の中央には凹部６７が設けられている。当該凹部６７は、端面がやや開口している。凹部６７は全体として、ランナー取り外し用治具６５の長手方向に沿って延びる。
【００３２】
そして戸板６１を外す場合は、ランナー取り外し用治具６５の他端側の端部を連結部材５のガイド溝４７に嵌合し、ランナー取り外し用治具６５をガイド溝４７に沿って挿入する。そしてランナー取り外し用治具６５の端部の凹部６７を図４の様に係合爪２８の係止部３２に押し当てる。その結果、係止部３２の三角形状と凹部６７の開口部の斜面との作用により、係止部３２に中心方向へ移動する力が発生し、板状部３０が撓んで係合爪２８が縮径し、貫通穴４５との係合が解ける。
そしてこの状態において連結部材５を固定部材３から離れる方向に移動させると、連結部材５は固定部材３を離れ、戸板６１が外れる。
【００３３】
以上説明した実施形態では、係合爪２８は、板状部３０が横に並ぶ様に配置したが、上下に並ぶ様に配置しても良い。またより多数の係合爪を設けてこれらを円状に配してもよい。
また上記した実施形態では、受入れ部２３は、穴２６と溝３１の双方を有するものを例示したが、これらのいずれか一方だけであっても本発明を構成することができる。
ランナー取り外し用治具６５は、板状のものを例示したが、パイプ状のものであっても同様の作用効果を発揮する。
【００３４】
【発明の効果】
以上説明したように、本発明の戸用ランナーは、連結部材の本体部を固定部材の受入れ部に挿入するだけで、戸板の取り付けが完了する。そのため本発明の戸用ランナーは、戸板の取付けが簡単であり、作業は短時間で終了する効果がある。従って戸板の取付け作業がすこぶる楽となる。
【００３５】
特に請求項２に記載の戸用ランナーでは、連結部材の本体部を、固定部材の受入れ部に円滑に挿入することができる効果がある。また本発明の戸用ランナーでは、連結部材が完全に挿入されたことを音や触感で関知することができる効果があり、戸用ランナーの付け間違いが無いという効果がある。
【００３７】
さらに請求項３に記載の戸用ランナーでは、ランナー取り外し用治具を使用することにより、係合爪と貫通穴との係合を解くことができ、容易に戸板をレールから外すことができる。
【００３８】
また請求項４の戸用ランナーでは、ランナー取り外し用治具をガイド溝に沿って押し込んで先端部に設けられた凹部を係合爪に当接させるので、作用が確実であり、熟練を要せずに戸板を取り外すことができる効果がある。
【図面の簡単な説明】
【図１】  本発明の実施形態の戸用ランナーを戸板に取付け、さらにレールに走行部を載置した状態の正面図である。
【図２】  本発明の実施形態の戸用ランナーの分解斜視図である。
【図３】  図１のＡ−Ａ断面図である。
【図４】  戸用ランナーにランナー取り外し用治具を当接した状態における図１のＡ−Ａ断面図である。
【図５】  図１の戸用ランナーの固定部材の正面図、側面図及び底面図である。
【図６】  図１の戸用ランナーの走行部材及び連結部材の正面図、側面図及び底面図である。
【図７】  図１の戸用ランナーの固定部材と走行部材及び連結部材の断面図である。
【図８】  ランナー取り外し用治具の正面図である。
【図９】  図１の戸用ランナーの走行部材の軸受け部の平面図、及び軸受け部の機能を説明する軸受け部に軸部材を装着した状態における平面図である。
【図１０】  戸板が折れ曲がりつつ移動する形式のクローゼットの吊り戸の例を示す斜視図である。
【符号の説明】
１  戸用ランナー
２  走行部材
３  固定部材
５  連結部材
１１  軸受け部
１２  節度付け部（拡径部）
１５  弾性部
１６  軸部材
１８  ネジ部
２０  手工具係合部
２６  穴
２８  係合爪
３１  溝
４０  円形部
６０  レール
６１  戸板
６５  取り外し用治具
６７  凹部
【図１】
0004532649.tif 000002
【図２】
0004532649.tif 000003
【図３】
0004532649.tif 000004
【図４】
0004532649.tif 000005
【図５】
0004532649.tif 000006
【図６】
0004532649.tif 000007
【図７】
0004532649.tif 000008
【図８】
0004532649.tif 000009
【図９】
0004532649.tif 000010
【図１０】
0004532649.tif 000011